【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
ビデオ信号データをビットストリームにエンコードするエンコーダを有し、
前記エンコーダは、少なくとも１つの高レベル構文要素を用いて前記ビットストリームで仮想リファレンスデコーダパラメータを除くビデオ・ユーザビリティ情報を特定し、
前記ビデオ・ユーザビリティ情報は、スケーラブル・ビデオ符号化に関連する前記ビットストリームでの相互接続点の組に対応する、装置。
【請求項２】
前記エンコーダは、前記相互接続点の組を含め、スケーラブル・ビデオ符号化に関連する前記ビットストリームでの前記相互接続点の夫々について前記ビデオ・ユーザビリティ情報を特定する、請求項１記載の装置。
【請求項３】
前記エンコーダは、ＩＳＯ／ＩＥＣ  ＭＰＥＧ−４  Ｐａｒｔ１０  ＡＶＣ標準／ＩＴＵ−ＴＳ  Ｈ．２６４勧告と互換性があるレイヤでスケーラブル・ビデオ符号化に関連する前記相互接続点の夫々について前記ビデオ・ユーザビリティ情報を特定する、請求項１記載の装置。
【請求項４】
前記ビデオ・ユーザビリティ情報は、ビットストリーム制限情報を有する、請求項１記載の装置。
【請求項５】
前記ビットストリーム制限情報は、motion_vectors_over_pic_boundaries_flag構文要素、max_bytes_per_pic_denom構文要素、max_bits_per_mb_denom構文要素、log2_max_mv_length_horizontal構文要素、log2_max_mv_length_vertical構文要素、num_reorder_frames構文要素、及びmax_dec_frame_buffering構文要素のうち少なくとも１つを有する、請求項４記載の装置。
【請求項６】
前記少なくとも１つの高レベル構文要素は、スライス・ヘッダレベル、シーケンス・パラメータ・セットレベル、ピクチャ・パラメータ・セットレベル、ネットワーク・アブストラクション・レイヤ・ユニット・ヘッダレベル、及びサプリメンタル・エンハンスメント情報メッセージに対応するレベルのうち少なくとも１つに対応する、請求項１記載の装置。
【請求項７】
ビデオ信号データをビットストリームにエンコードするステップを有し、
前記エンコードするステップは、少なくとも１つの高レベル構文要素を用いて前記ビットストリームで仮想リファレンスデコーダパラメータを除くビデオ・ユーザビリティ情報を特定するステップを有し、
前記ビデオ・ユーザビリティ情報は、スケーラブル・ビデオ符号化に関連する前記ビットストリームでの相互接続点の組に対応する、方法。
【請求項８】
前記ビデオ・ユーザビリティ情報を特定するステップは、前記相互接続点の組を含め、スケーラブル・ビデオ符号化に関連する前記ビットストリームでの前記相互接続点の夫々について前記ビデオ・ユーザビリティ情報を特定する、請求項７記載の方法。
【請求項９】
前記ビデオ・ユーザビリティ情報を特定するステップは、ＩＳＯ／ＩＥＣ  ＭＰＥＧ−４  Ｐａｒｔ１０  ＡＶＣ標準／ＩＴＵ−ＴＳ  Ｈ．２６４勧告と互換性があるレイヤでスケーラブル・ビデオ符号化に関連する前記相互接続点の夫々について前記ビデオ・ユーザビリティ情報を特定する、請求項７記載の方法。
【請求項１０】
前記ビデオ・ユーザビリティ情報は、ビットストリーム制限情報を有する、請求項７記載の方法。
【請求項１１】
前記ビットストリーム制限情報は、motion_vectors_over_pic_boundaries_flag構文要素、max_bytes_per_pic_denom構文要素、max_bits_per_mb_denom構文要素、log2_max_mv_length_horizontal構文要素、log2_max_mv_length_vertical構文要素、num_reorder_frames構文要素、及びmax_dec_frame_buffering構文要素のうち少なくとも１つを有する、請求項１０記載の方法。
【請求項１２】
前記少なくとも１つの高レベル構文要素は、スライス・ヘッダレベル、シーケンス・パラメータ・セットレベル、ピクチャ・パラメータ・セットレベル、ネットワーク・アブストラクション・レイヤ・ユニット・ヘッダレベル、及びサプリメンタル・エンハンスメント情報メッセージに対応するレベルのうち少なくとも１つに対応する、請求項７記載の方法。
【請求項１３】
ビデオ信号データをビットストリームからデコードするデコーダを有し、
前記デコーダは、少なくとも１つの高レベル構文要素を用いて前記ビットストリームから仮想リファレンスデコーダパラメータを除くビデオ・ユーザビリティ情報を決定し、
前記ビデオ・ユーザビリティ情報は、スケーラブル・ビデオ符号化に関連する前記ビットストリームでの相互接続点の組に対応する、装置。
【請求項１４】
前記デコーダは、前記相互接続点の組を含め、スケーラブル・ビデオ符号化に関連する前記ビットストリームでの前記相互接続点の夫々について前記ビデオ・ユーザビリティ情報を決定する、請求項１３記載の装置。
【請求項１５】
前記デコーダは、ＩＳＯ／ＩＥＣ  ＭＰＥＧ−４  Ｐａｒｔ１０  ＡＶＣ標準／ＩＴＵ−ＴＳ  Ｈ．２６４勧告と互換性があるレイヤからスケーラブル・ビデオ符号化に関連する前記相互接続点の夫々について前記ビデオ・ユーザビリティ情報を決定する、請求項１３記載の装置。
【請求項１６】
前記ビデオ・ユーザビリティ情報は、ビットストリーム制限情報を有する、請求項１３記載の装置。
【請求項１７】
前記ビットストリーム制限情報は、motion_vectors_over_pic_boundaries_flag構文要素、max_bytes_per_pic_denom構文要素、max_bits_per_mb_denom構文要素、log2_max_mv_length_horizontal構文要素、log2_max_mv_length_vertical構文要素、num_reorder_frames構文要素、及びmax_dec_frame_buffering構文要素のうち少なくとも１つを有する、請求項１６記載の装置。
【請求項１８】
前記少なくとも１つの高レベル構文要素は、スライス・ヘッダレベル、シーケンス・パラメータ・セットレベル、ピクチャ・パラメータ・セットレベル、ネットワーク・アブストラクション・レイヤ・ユニット・ヘッダレベル、及びサプリメンタル・エンハンスメント情報メッセージに対応するレベルのうち少なくとも１つに対応する、請求項１３記載の装置。
【請求項１９】
ビデオ信号データをビットストリームからデコードするステップを有し、
前記デコードするステップは、少なくとも１つの高レベル構文要素を用いて前記ビットストリームから仮想リファレンスデコーダパラメータを除くビデオ・ユーザビリティ情報を決定するステップを有し、
前記ビデオ・ユーザビリティ情報は、スケーラブル・ビデオ符号化に関連する前記ビットストリームでの相互接続点の組に対応する、方法。
【請求項２０】
前記ビデオ・ユーザビリティ情報を決定するステップは、前記相互接続点の組を含め、スケーラブル・ビデオ符号化に関連する前記ビットストリームでの前記相互接続点の夫々について前記ビデオ・ユーザビリティ情報を決定する、請求項１９記載の方法。
【請求項２１】
前記ビデオ・ユーザビリティ情報を決定するステップは、ＩＳＯ／ＩＥＣ  ＭＰＥＧ−４  Ｐａｒｔ１０  ＡＶＣ標準／ＩＴＵ−ＴＳ  Ｈ．２６４勧告と互換性があるレイヤからスケーラブル・ビデオ符号化に関連する前記相互接続点の夫々について前記ビデオ・ユーザビリティ情報を決定する、請求項１９記載の方法。
【請求項２２】
前記ビデオ・ユーザビリティ情報は、ビットストリーム制限情報を有する、請求項１９記載の方法。
【請求項２３】
前記ビットストリーム制限情報は、motion_vectors_over_pic_boundaries_flag構文要素、max_bytes_per_pic_denom構文要素、max_bits_per_mb_denom構文要素、log2_max_mv_length_horizontal構文要素、log2_max_mv_length_vertical構文要素、num_reorder_frames構文要素、及びmax_dec_frame_buffering構文要素のうち少なくとも１つを有する、請求項２２記載の方法。
【請求項２４】
前記少なくとも１つの高レベル構文要素は、スライス・ヘッダレベル、シーケンス・パラメータ・セットレベル、ピクチャ・パラメータ・セットレベル、ネットワーク・アブストラクション・レイヤ・ユニット・ヘッダレベル、及びサプリメンタル・エンハンスメント情報メッセージに対応するレベルのうち少なくとも１つに対応する、請求項１９記載の方法。
【請求項２５】
ビデオエンコーディングのためのビデオ信号構造であって、
ビットストリームにエンコードされるビデオ信号データを有し、
仮想リファレンスデコーダパラメータを除くビデオ・ユーザビリティ情報は、少なくとも１つの高レベル構文要素を用いて前記ビットストリームで特定され、
前記ビデオ・ユーザビリティ情報は、スケーラブル・ビデオ符号化に関連する前記ビットストリームでの相互接続点の組に対応する、ビデオ信号構造。
【請求項２６】
エンコードされたビデオ信号データを有する記憶媒体であって、
ビットストリームにエンコードされるビデオ信号データを有し、
仮想リファレンスデコーダパラメータを除くビデオ・ユーザビリティ情報は、少なくとも１つの高レベル構文要素を用いて前記ビットストリームで特定され、
前記ビデオ・ユーザビリティ情報は、スケーラブル・ビデオ符号化に関連する前記ビットストリームでの相互接続点の組に対応する、記憶媒体。
【手続補正２】
【補正対象書類名】明細書
【補正対象項目名】０００５
【補正方法】変更
【補正の内容】
【０００５】
本原理の一側面に従って、装置が提供される。当該装置は、ビデオ信号データをビットストリームにエンコードするエンコーダを有する。このエンコーダは、少なくとも１つの高レベル構文要素を用いて前記ビットストリームで仮想リファレンスデコーダパラメータを除くビデオ・ユーザビリティ情報を特定する。また、ビデオ・ユーザビリティ情報は、スケーラブル・ビデオ符号化に関連する前記ビットストリームでの相互接続点の組に対応する。
【手続補正３】
【補正対象書類名】明細書
【補正対象項目名】０００６
【補正方法】変更
【補正の内容】
【０００６】
本原理の他の側面に従って、方法が提供される。当該方法は、ビデオ信号データをビットストリームにエンコードするステップを有する。斯かるエンコードするステップは、少なくとも１つの高レベル構文要素を用いて前記ビットストリームで仮想リファレンスデコーダパラメータを除くビデオ・ユーザビリティ情報を特定するステップを有する。また、ビデオ・ユーザビリティ情報は、スケーラブル・ビデオ符号化に関連する前記ビットストリームでの相互接続点の組に対応する。
【手続補正４】
【補正対象書類名】明細書
【補正対象項目名】０００７
【補正方法】変更
【補正の内容】
【０００７】
本原理の更なる他の側面に従って、装置が提供される。当該装置は、ビデオ信号データをビットストリームからデコードするデコーダを有する。このデコーダは、少なくとも１つの高レベル構文要素を用いて前記ビットストリームから仮想リファレンスデコーダパラメータを除くビデオ・ユーザビリティ情報を決定する。また、ビデオ・ユーザビリティ情報は、スケーラブル・ビデオ符号化に関連する前記ビットストリームでの相互接続点の組に対応する。
【手続補正５】
【補正対象書類名】明細書
【補正対象項目名】０００８
【補正方法】変更
【補正の内容】
【０００８】
本原理の更なる他の側面に従って、方法が提供される。当該方法は、ビデオ信号データをビットストリームからデコードするステップを有する。斯かるデコードするステップは、少なくとも１つの高レベル構文要素を用いて前記ビットストリームから仮想リファレンスデコーダパラメータを除くビデオ・ユーザビリティ情報を決定するステップを有する。また、ビデオ・ユーザビリティ情報は、スケーラブル・ビデオ符号化に関連する前記ビットストリームでの相互接続点の組に対応する。
【手続補正６】
【補正対象書類名】明細書
【補正対象項目名】００１０
【補正方法】変更
【補正の内容】
【００１０】
【図１】本原理が適用される例となるスケーラブル・ビデオエンコーダのブロック図である。
【図２】本原理が適用される例となるスケーラブル・ビデオデコーダのブロック図である。
【図３】本原理の実施例に従う、ビデオ・ユーザビリティ情報（ＶＵＩ）をエンコードする例となる方法のフロー図である。
【図４】本原理の実施例に従う、ビデオ・ユーザビリティ情報（ＶＵＩ）をデコードする例となる方法のフロー図である。
【図５】本原理の実施例に従う、ＭＰＥＧ−４ＡＶＣ標準の時間サプリメンタル・エンハンスメント情報（ＳＥＩ）メッセージをエンコードする例となる方法のフロー図である。
【図６】本原理の実施例に従う、ＭＰＥＧ−４ＡＶＣ標準の時間サプリメンタル・エンハンスメント情報（ＳＥＩ）メッセージをデコードする例となる方法のフロー図である。
【手続補正７】
【補正対象書類名】明細書
【補正対象項目名】００５７
【補正方法】変更
【補正の内容】
【００５７】
【表２】
2010524394.tif 000001
2010524394.tif 000002
図３を参照すると、ビデオ・ユーザビリティ情報（ＶＵＩ）をエンコードする例となる方法が、概して参照符号３００によって示されている。
【手続補正８】
【補正対象書類名】明細書
【補正対象項目名】００６２
【補正方法】変更
【補正の内容】
【００６２】
図４を参照すると、ビデオ・ユーザビリティ情報（ＶＵＩ）をデコードする例となる方法が、概して参照符号４００によって示されている。
【手続補正９】
【補正対象書類名】明細書
【補正対象項目名】００６７
【補正方法】変更
【補正の内容】
【００６７】
ＳＶＣは、ベース・レイヤがＭＰＥＧ−４ＡＶＣ標準と互換性を有することを必要とした。しかし、ＭＰＥＧ−４ＡＶＣ標準に準拠するビットストリームは複数の時間レイヤを有することがある。本原理の実施例に従って、ＭＰＥＧ−４ＡＶＣ標準に準拠するレイヤにおいて異なる時間レイヤについてビットストリーム制限情報を伝達するために高レベル構文を用いることが提案される。一実施例で、サプリメンタル・エンハンスメント情報（ＳＥＩ）メッセージが使用される。当然、本原理は、高レベル構文に関してＳＥＩメッセージの使用にのみ限定されず、従って、他の高レベル構文も、本原理の精神を保ちながら、本原理に従って使用されてよい。表３は、本原理の実施例に従って、提案されるＡＶＣ時間ビデオ・ユーザビリティ情報（ＶＵＩ）サプリメンタル・エンハンスメント情報（ＳＥＩ）メッセージを表す。以下の構文定義は、表３に挙げられている構文に適用する。
【手続補正１０】
【補正対象書類名】明細書
【補正対象項目名】００７４
【補正方法】変更
【補正の内容】
【００７４】
【表４】
2010524394.tif 000003
ここで、本発明の多数の付随する利点／特徴の幾つかに関する記載が与えられる。これらのうちの幾つかは上述されている。例えば、１つの利点／特徴は、ビデオ信号データをビットストリームにエンコードするエンコーダを有する装置である。このエンコーダは、少なくとも１つの高レベル構文要素を用いて前記ビットストリームで仮想リファレンスデコーダパラメータを除くビデオ・ユーザビリティ情報を特定する。また、ビデオ・ユーザビリティ情報は、スケーラブル・ビデオ符号化に関連する前記ビットストリームでの相互接続点の組に対応する。
【手続補正１１】
【補正対象書類名】明細書
【補正対象項目名】００７５
【補正方法】変更
【補正の内容】
【００７５】
他の利点／特徴は、上述されるエンコーダを有する装置であり、前記エンコーダは、前記相互接続点の組を含め、スケーラブル・ビデオ符号化に関連する前記ビットストリームでの前記相互接続点の夫々について前記ビデオ・ユーザビリティ情報を特定する。
【手続補正１２】
【補正対象書類名】明細書
【補正対象項目名】００７６
【補正方法】変更
【補正の内容】
【００７６】
更なる他の利点／特徴は、上述されるエンコーダを有する装置であり、前記エンコーダは、ＩＳＯ／ＩＥＣ  ＭＰＥＧ−４  Ｐａｒｔ１０  ＡＶＣ標準／ＩＴＵ−ＴＳ  Ｈ．２６４勧告と互換性があるレイヤでスケーラブル・ビデオ符号化に関連する前記相互接続点の夫々について前記ビデオ・ユーザビリティ情報を特定する。
【手続補正１３】
【補正対象書類名】明細書
【補正対象項目名】００７７
【補正方法】変更
【補正の内容】
【００７７】
更なる他の利点／特徴は、上述されるエンコーダを有する装置であり、前記ビデオ・ユーザビリティ情報はビットストリーム制限情報を有する。
【手続補正１４】
【補正対象書類名】明細書
【補正対象項目名】００７８
【補正方法】変更
【補正の内容】
【００７８】
更に、他の利点／特徴は、前記ビデオ・ユーザビリティ情報がビットストリーム制限情報を有するところの前記エンコーダを有する装置であり、前記ビットストリーム制限情報は、motion_vectors_over_pic_boundaries_flag構文要素、max_bytes_per_pic_denom構文要素、max_bits_per_mb_denom構文要素、log2_max_mv_length_horizontal構文要素、log2_max_mv_length_vertical構文要素、num_reorder_frames構文要素、及びmax_dec_frame_buffering構文要素のうち少なくとも１つを有する。